(57)【要約】【課題】バックジョグ部材に対する制御を単純化した用紙処理装置の提供。【解決手段】バックジョグ部材20のほかに、ストッパ10で停止した用紙Ｓの後端が自重で落ち込んで係止されて、用紙Ｓがストッパ10で跳ね返されるのを防止する後端係止部材30を設ける。ストッパ10及びバックジョグ部材20は、搬送ベルト40に対し、その両側に配置されており、用紙Ｓの前端辺及び後端辺部分を、用紙Ｓの幅方向両サイド方向でストップ、打接するようになっている。また、用紙Ｓが整然と搬送されるように、用紙Ｓの両サイドをガイドするサイドガイド50，51が設けられており、サイドガイド51は用紙サイズに応じて移動できる構造となっている。【選択図】図１
2008074528.tif 000002
【特許請求の範囲】
【請求項１】
搬送されてきた用紙を一旦停止させて順次積層し用紙の束として揃える用紙処理装置であって、
搬送されてきた用紙の前端に当接してこの用紙を停止させるストッパと、
このストッパで停止している用紙の束の後端部分に、後方から複数回打接してこの用紙の後端を揃えるバックジョグ部材と、
搬送されてきた用紙の下面に接し、用紙の先端が前記ストッパに当接したときに用紙の後端が自重で落ち込み係止され用紙がストッパで跳ね返されて後退するのを防止する係止手段を有する後端係止部材と、
を備えて成ることを特徴とする用紙処理装置。
【請求項２】
前記後端係止部材とストッパとの間隔は、用紙の搬送方向のサイズに応じて可変調整できる
ことを特徴とする請求項１記載の用紙処理装置。
【請求項３】
前記バックジョグ部材は、用紙束の後端辺幅方向の中心位置の両側で打接する構造である
ことを特徴とする請求項１又は請求項２記載の用紙処理装置。
【請求項４】
バックジョグ部材が、打接動作を連続して行うことを特徴とする請求項１、２又は３記載の用紙処理装置。
【発明の詳細な説明】
【技術分野】
【０００１】
本発明は、搬送されてきた用紙を一旦停止させて順次積層し用紙の束として揃える用紙処理装置の技術分野に属する。
【背景技術】
【０００２】
画像形成装置や丁合機等には、用紙の束を受け入れたり、用紙を１枚ずつ受け入れて積層蓄積し、用紙の束としてステープル綴じ、穿孔等の処理を行って排出する用紙処理装置が多く用いられる。
このような用紙処理装置には、用紙が揃った状態でステープル綴じや穿孔を行うことが必要なため、受け入れた用紙の束の端縁部分を揃える機構が設けられている。
例えば、後記特許文献１に記載されている装置（シート束整合装置）では、受け入れた用紙の先端を当接させてこの用紙を停止させるストッパ（前端辺位置決めストッパ１３１）を有しており、このストッパによって、先端が突き当てられた用紙が、この先端部分で揃えられるようになっている。
【０００３】
一方、用紙の両サイドは、装置に設けられたサイドガイド部材（特許文献１における、シート幅対向辺ガイド位置決め機構１２０相当）を当接させて挟むことにより、用紙両サイドの縁の部分を揃えるようになっている。
また、用紙の後端側には、バックジョグ部材（後端辺押揃え機構１４０）が設けられていて、これを、ストッパで停止している用紙の後端辺に繰り返し打接させて、用紙の前端縁後端縁を揃える構造となっている（例えば、特許文献１参照）。
【特許文献１】特開２００５−８９１２０号公報（図７〜図１０）
【発明の開示】
【発明が解決しようとする課題】
【０００４】
前述した背景技術における用紙処理装置では、用紙を前後端で揃える際に、バックジョグ部材（後端辺押揃え機構１４０）を用紙の後端辺に打接、離間させる動作を繰り返し行うようになっており、この打接、離間の往復動作は、一般的に回数が多い方がよく揃うので、同一の用紙束に対し複数回の往復動作をさせるのが通例となっている。
しかしこのとき、バックジョグ部材が打接位置から離間し移動する際に、用紙が打接位置から離間方向に移動してしまい、一旦揃っていた用紙の束の揃いが崩れてしまうことがある。従って、用紙のステープル綴じや穿孔等の処理の際は、バックジョグ部材が打接位置をキープするように、バックジョグ部材の動きを制御しなければならなかった。
【０００５】
即ち、用紙を揃えるための単純な往復動作に加えて、後処理のタイミングを見はからって、バックジョグ部材を、打接位置に保持停止させるような制御が必要となって、この制御が複雑になる、という問題点があった。
【０００６】
本発明の課題は、このような背景技術における問題点を解消して、バックジョグ部材に対する制御を単純化した用紙処理装置を提供することにある。
【課題を解決するための手段】
【０００７】
上記の課題を達成するために、本発明は以下の各構成を有する。
本発明の第１の構成は、搬送されてきた用紙を一旦停止させて順次積層し用紙の束として揃える用紙処理装置であって、
搬送されてきた用紙の前端に当接してこの用紙を停止させるストッパと、
このストッパで停止している用紙の束の後端部分に、後方から複数回打接してこの用紙の後端を揃えるバックジョグ部材と、
搬送されてきた用紙の下面に接し、用紙の先端が前記ストッパに当接したときに用紙の後端が自重で落ち込み係止され用紙がストッパで跳ね返されて後退するのを防止する係止手段を有する後端係止部材と、
を備えて成ることを特徴とする用紙処理装置である。
【０００８】
本発明の第２の構成は、前記第１の構成において、前記後端係止部材とストッパとの間隔は、用紙の搬送方向のサイズに応じて可変調整できることを特徴とする用紙処理装置である。
【０００９】
本発明の第３の構成は、前記第１の構成又は第２の構成において、前記バックジョグ部材は、用紙束の後端辺幅方向の中心位置の両側で打接する構造であることを特徴とする用紙処理装置である。
【００１０】
本発明の第４の構成は、前記第１の構成、第２の構成又は第３の構成において、バックジョグ部材が、打接動作を連続して行うことを特徴とする用紙処理装置である。
【発明の効果】
【００１１】
本発明第１の構成においては、バックジョグ部材のほかに、ストッパで停止した用紙の後端が自重で落ち込んで係止されて用紙がストッパで跳ね返されるのを防止する後端係止部材を設けて、バックジョグ部材が打接位置から後方の離間位置へと移動しても用紙が後方に跳ね返されないようにしているので、バックジョグ部材を、ステープル綴じ等の処理のタイミングを見はからって打接位置に戻してその位置を保持させる、という複雑な制御をしなくて済み、バックジョグ部材の動作制御を単純化することができる、という効果がある。
用紙後端係止面の高さを越える積載用紙については、用紙間摩擦により、跳ね返りが少ないのでバックジョグ部材による、打接により後端を充分に揃えることができる。
【００１２】
本発明第２の構成においては、ストッパと後端係止部材との間隔が用紙のサイズ（搬送方向のサイズ）に応じて可変調整できる構造となっているので、用紙サイズの広い範囲に渡って対応できる、という効果がある。
【００１３】
本発明第３の構成においては、バックジョグ部材が、用紙束の後端辺に対し、後端辺中心位置の両側で打接する構造となっているので、用紙束の後端辺全体を均一に揃えることができる、という効果がある。
【００１４】
本発明第４の構成においては、バックジョグ部材の打接動作を連続して行う構成となっているので、バックジョグ部材の制御が、打接位置と離間位置との間の往復運動を一定のリズムで繰り返すだけで良く、バックジョグ部材に対する制御をより一層単純化することができる。
【発明を実施するための最良の形態】
【００１５】
上記各構成において、ストッパは、１枚の金属板を切断加工、折り曲げ加工して形成するのが本発明を実施するための最良の実施の形態であり、また、後端係止部材との間の間隔調整は、このストッパを移動させることにより行うのが最良である。
その理由は、後端側で調整するには、後端係止部材とバックジョグ部材の両方を設定し直ししなければならないからである。
また、バックジョグ部材及び後端係止部材を、それぞれ、１枚の金属板を、切断加工、折り曲げ加工して形成するのが、コストの面から見て最良の形態である。
更にバックジョグ部材の打接動作は、第１の構成では複数回としているが、第４の構成のように、連続して行うようにするのが、バックジョグ部材の制御がより一層単純化されるので最良の形態である。
【実施例】
【００１６】
以下、本発明の実施例を図面を参照して説明する。
図１は本発明の実施例を説明するための斜視図、図２はその要部の側面図、図３は図２における要部の拡大側面図、図４はこの実施例における用紙処理装置全体の平面図である。
この実施例における用紙処理装置は、搬送ベルト４０（図１〜図４の各図参照）上流側から搬送されて来た用紙を一旦停止させて順次積層し、用紙の束として揃える装置であって、用紙Ｓ（図２参照）の前端に当接してこの用紙Ｓを停止させるストッパ１０（図１、図２、図４参照）と、停止している用紙Ｓの後端部分に、その後方から打接してこれを揃えるバックジョグ部材２０（図１〜図４各図参照）と、ストッパ１０で用紙Ｓが停止すると、その後端が自重で落ち込んで、この後端部分を係止（用紙後端係止段差３１により）して用紙Ｓが跳ね返るのを防止する後端係止部材３０（図１〜図４各図参照）と、を有している。
【００１７】
また、この実施例では、用紙の幅方向をガイドして、この用紙が正常に搬送されるように、サイドガイド５０，５１が設けられており、またサイドガイド５１は、用紙サイズに応じてガイド位置が可変調整できるように移動可能な構造となっている。
【００１８】
更に、この実施例では、用紙サイズに応じて、ストッパ１０と後端係止部材３０との間隔が可変できるようになっており、この間隔調整を、ストッパ１０の位置を移動させることによって行っている。ストッパ１０を移動させるようにすると、ストッパ１０の移動だけで間隔調整ができるのに対して、後端係止部材３０を移動させると、バックジョグ部材２０による用紙の打接位置も変えなければならなくなるので、設定に手間がかかるからである。
【００１９】
更にまた、この実施例では、バックジョグ部材２０による用紙後端の打接動作が、常時連続して行われるようになっている。こうすることで、バックジョグ部材２０の制御を単純化することができる。
上記実施例においては、ストッパも、後端係止部材もバックジョグ部材も１枚の金属板からの打ち抜き曲げ加工で形成している。
【図面の簡単な説明】
【００２０】
【図１】本発明の一実施例を説明するための装置全体の斜視図である。
【図２】本発明の一実施例を説明するための要部の側面図である。
【図３】図２における後端係止部材を中心とした要部の拡大側面図である。
【図４】本発明の一実施例を説明するための装置全体の平面図である。
【符号の説明】
【００２１】
１０  ストッパ
２０  バックジョグ部材
３０  後端係止部材
３１  用紙後端係止段差
４０  搬送ベルト
５０  サイドガイド
５１  サイドガイド
【図１】
2008074528.tif 000003
【図２】
2008074528.tif 000004
【図３】
2008074528.tif 000005
【図４】
2008074528.tif 000006